(57)【特許請求の範囲】
【請求項１】
調理メニューを選択するための操作部と、
上記操作部によって選択された上記調理メニューの被加熱物を加熱するための加熱部と、
上記加熱部による加熱が終了したことを報知するための加熱終了報知音を出力するスピーカ部と、
上記加熱部を制御する制御装置と
を備え、
上記制御装置は、
上記加熱部による加熱が終了してから所定時間ごとに上記加熱終了報知音を出力するように、上記スピーカ部を制御し、
上記操作部によって選択された上記調理メニューに設定された加熱時間に基づいて、上記加熱部を制御し、
上記操作部によって選択された上記調理メニューに設定された加熱時間が第１所定閾値を超えない場合、上記加熱部による加熱開始時および加熱中、音声が出力されないように、上記スピーカ部を制御し、
上記操作部によって選択された上記調理メニューに設定された加熱時間が第１所定閾値を超える場合、上記加熱部による加熱開始時および加熱中、音声が出力されるように、上記スピーカ部を制御することを特徴とする加熱調理器。
【請求項２】
請求項１に記載の加熱調理器において、
上記制御装置は、上記操作部によって選択された上記調理メニューに設定された加熱時間が、上記第１所定閾値よりも大きい第２所定閾値を超える場合、上記加熱時間が上記第２所定閾値を超ない場合に比べて、上記加熱部による加熱開始時および加熱中における音声の出力回数が増えるように、上記スピーカ部を制御することを特徴とする加熱調理器。
【発明の詳細な説明】
【技術分野】
【０００１】
本発明は加熱調理器に関する。
【背景技術】
【０００２】
従来、加熱調理器としては、小さい表示部を備え、この表示部が複数のメニューを表示するものがある(例えば特開２００９−２６０５号公報参照)。
【０００３】
ユーザーは、複数のメニューの中から所望のメニューを選択することにより、所望のメニューに対応する加熱処理を被加熱物に施すことができる。
【先行技術文献】
【特許文献】
【０００４】
【特許文献１】特開２００６−２１２１９９号公報
【発明の概要】
【発明が解決しようとする課題】
【０００５】
ところで、上記従来の加熱調理器の利便性を向上させる方法としては、表示部に、メニューだけでなく、メニューに関する料理支援情報(例えば、メニューの食べ方、メニューのアレンジなど)を表示させる方法が考えられる。
【０００６】
しかしながら、上記表示部に料理支援情報を表示させる場合、表示部が小さいため、料理支援情報は見難い。
【０００７】
したがって、上記料理支援情報の認識が困難となり、ユーザーの満足度が低くなってしまうという問題が生じてしまう。
【０００８】
そこで、本発明の課題は、ユーザーの満足度を高めることができる加熱調理器を提供することにある。
【課題を解決するための手段】
【０００９】
上記課題を解決するため、本発明の加熱調理器は、
調理メニューを選択するための操作部と、
上記操作部によって選択された上記調理メニューの被加熱物を加熱するための加熱部と、
上記加熱部による加熱が終了したことを報知するための加熱終了報知音を出力するスピーカ部と、
上記加熱部を制御する制御装置と
を備え、
上記制御装置は、
上記加熱部による加熱が終了してから所定時間ごとに上記加熱終了報知音を出力するように、上記スピーカ部を制御し、
上記操作部によって選択された上記調理メニューに設定された加熱時間に基づいて、上記加熱部を制御し、
上記操作部によって選択された上記調理メニューに設定された加熱時間が第１所定閾値を超えない場合、上記加熱部による加熱開始時および加熱中、音声が出力されないように、上記スピーカ部を制御し、
上記操作部によって選択された上記調理メニューに設定された加熱時間が第１所定閾値を超える場合、上記加熱部による加熱開始時および加熱中、音声が出力されるように、上記スピーカ部を制御することを特徴としている。
【００１０】
一実施形態の加熱調理器では、
上記次の加熱終了報知音は、上記直前の加熱終了報知音と比べて、音パターンが異なるようになっている。
【００１１】
【００１２】
一実施形態の加熱調理器では、
上記制御装置は、上記操作部によって選択された上記調理メニューに設定された加熱時間が、上記第１所定閾値よりも大きい第２所定閾値を超える場合、上記加熱時間が上記第２所定閾値を超ない場合に比べて、上記加熱部による加熱開始時および加熱中における音声の出力回数が増えるように、上記スピーカ部を制御する。
【００１３】
本発明の加熱調理器は、
被加熱物を加熱するための加熱部と、
上記被加熱物に係るメニューについての料理支援情報を記憶する記憶部と、
上記料理支援情報を音声で報知する報知部と、
上記報知部に上記料理支援情報を音声で報知させるためのキーと、
制御装置と
を備え、
上記制御装置は、ユーザーが上記キーを選択したとき、上記報知部が上記料理支援情報を音声で報知するように、上記報知部を制御する報知制御手段を有することを特徴としている。
【００１４】
ここで、「キー」は、例えば操作パネルに設けられる物理キーに限らず、表示部に表示されるソフトキーなども含む。
【００１５】
また、「料理支援情報」は、メニューの食べ方の情報、メニューのアレンジの情報、メニューの付け合わせなどの情報を含む。
【００１６】
一実施形態の加熱調理器では、
上記報知制御手段は、上記キーの選択後、予め設定された時間が経過していないときに、上記キーが再び選択されると、上記報知部が前回と同じ内容の上記料理支援情報を報知するように、上記報知部を制御する。
【００１７】
一実施形態の加熱調理器では、
上記報知制御手段は、上記キーの選択後、予め設定された時間が経過したときに、上記キーが再び選択されると、上記報知部が前回とは異なる内容の上記料理支援情報を報知するように、上記報知部を制御する。
【００１８】
一実施形態の加熱調理器では、
上記報知制御手段は、上記キーが選択されて、上記表示部の表示が切り替わる前に、上記キーが再び選択されたとき、上記報知部が前回と同じ内容の上記料理支援情報を報知するように、上記報知部を制御する。
【００１９】
一実施形態の加熱調理器では、
上記報知制御手段は、上記キーが選択されて、上記表示部の表示が切り替わった後に、上記キーが再び選択されたとき、上記報知部が前回とは異なる内容の上記料理支援情報を報知するように、上記報知部を制御する。
【発明の効果】
【００２０】
本発明の加熱調理器は、被加熱物に係る複数のメニューを表示する表示部と、メニューに関する複数の料理支援情報を記憶する記憶部と、料理支援情報を音声で報知する報知部と、報知部に料理支援情報を音声で報知させるためのキーと、制御装置とを備え、この制御装置は、ユーザーがキーを選択したとき、報知部が料理支援情報を音声で報知するように、報知部を制御する報知制御部を有することによって、表示部が小さくても、メニューに関する料理支援情報を認識できるので、ユーザーの満足度を高めることができる。
【図面の簡単な説明】
【００２１】
【図１】図１は本発明の第１実施形態の加熱調理器の正面斜視図である。
【図２】図２は上記加熱調理器の縦断面の模式図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶パネルの一画面を示す図である。
【図７】図７は上記カラー液晶パネルの他の画面を示す図である。
【図８】図８は上記カラー液晶パネルの他の画面を示す図である。
【図９】図９は上記カラー液晶パネルの他の画面を示す図である。
【図１０】図１０は上記カラー液晶パネルの他の画面を示す図である。
【図１１】図１１は上記カラー液晶パネルの他の画面を示す図である。
【図１２】図１２は上記カラー液晶パネルの他の画面を示す図である。
【図１３】図１３は上記カラー液晶パネルの他の画面を示す図である。
【図１４】図１４は上記加熱調理器のスピーカ制御部の制御を説明するためのフローチャートである。
【図１５】図１５は本発明の第２実施形態の加熱調理器の制御ブロック図である。
【図１６】図１６は上記加熱調理器のスピーカ制御部の制御を説明するためのフローチャートである。
【図１７】図１７は本発明の第３実施形態の加熱調理器の制御ブロック図である。
【図１８】図１８は上記加熱調理器のスピーカ制御部の制御を説明するためのフローチャートである。
【図１９】図１９は本発明の第４実施形態の加熱調理器の制御ブロック図である。
【図２０】図２０は上記加熱調理器のカラー液晶パネルの一画面を示す図である。
【図２１】図２１は上記加熱調理器のスピーカ制御部の制御を説明するためのフローチャートである。
【図２２】図２２は本発明の第５実施形態の加熱調理器の制御ブロック図である。
【図２３】図２３は本発明の第６実施形態の加熱調理器の制御ブロック図である。
【図２４】図２４は本発明の第７実施形態の加熱調理器の制御ブロック図である。
【図２５】図２５は本発明の第８実施形態の加熱調理器の制御ブロック図である。
【図２６】図２６は本発明の第９実施形態の加熱調理器の制御ブロック図である。
【図２７】図２７は本発明の第１０実施形態の加熱調理器の制御ブロック図である。
【図２８】図２８は上記加熱調理器のカラー液晶パネルの一画面を示す図である。
【図２９】図２９は本発明の第１１実施形態の加熱調理器の制御ブロック図である。
【発明を実施するための形態】
【００２２】
以下、本発明の加熱調理器を図示の実施形態により詳細に説明する。
【００２３】
〔第１実施形態〕
図１は本発明の第１実施形態の加熱調理器の正面斜視図である。
【００２４】
上記加熱調理器は、図１に示すように、直方体形状のケーシング１の正面に、下端側の辺を略中心に回動する扉２が取り付けられている。この扉２の上側にはハンドル３を取り付けられている。また、扉２において加熱庫１３(図２に示す)とは反対側に耐熱ガラス４が取り付けられている。また、扉２の右側には操作パネル５を設けられている。この操作パネル５は、表示部の一例としてのカラー液晶表示部６と、ボタン群７とを有している。また、ケーシング１の上側かつ右側後方には排気ダクト８が設けられている。さらに、扉２の下方には、ケーシング１の前脚(図示せず)に着脱可能な露受容器９が配置されている。
【００２５】
図２は上記加熱調理器の縦断面の模式図である。
【００２６】
上記加熱調理器は、水タンク１１から供給された水を飽和水蒸気発生装置１２で加熱して飽和水蒸気を発生させる。飽和水蒸気発生装置１２で発生させた飽和水蒸気は、蒸気供給通路(図示せず)を介して、加熱庫１３の右側面に取り付けられた循環ユニット１４の蒸気吸込口１５の加熱庫１３側に供給される。なお、飽和水蒸気発生装置１２は加熱部の一例である。
【００２７】
上記蒸気供給通路に接続された蒸気供給管３４は、加熱庫１３の右側面と平行になるように、循環ユニット１４の蒸気吸込口１５の近傍に取り付けられている。また、循環ユニット１４内には、蒸気吸込口１５に対向するように循環ファン１８が配置されている。循環ファン１８は、ファンモータ１９によって回転駆動される。
【００２８】
また、上記加熱庫１３には、加熱庫１３の上面および左側面を覆うように、Ｌ字状に屈曲した蒸気ダクト１００が取り付けられている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００２９】
上記蒸気ダクト１００の第１ダクト部１１０は過熱水蒸気生成ヒータ２０を収納している。この蒸気ダクト１００の第１ダクト部１１０と過熱水蒸気生成ヒータ２０とで過熱水蒸気発生装置２１を構成している。なお、過熱水蒸気生成装置は、蒸気ダクトとは別に設けてもよい。また、過熱水蒸気生成ヒータ２０は加熱部の一例である。
【００３０】
また、上記蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００３１】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００３２】
上記循環ユニット１４と過熱水蒸気発生装置２１と加熱庫１３とそれらを接続する接続部材とによって、蒸気の循環経路が形成されている。この循環経路における循環ユニット１４の加熱庫１３との境界部に、飽和水蒸気発生装置１２で発生させた飽和水蒸気が供給される。
【００３３】
また、上記ケーシング１内の下側には、マグネトロン８０(図５に示す)が配置されている。このマグネトロン８０で発生したマイクロ波は、導波管(図示せず)によって加熱庫１３の下部中央近傍に導かれ、モータ３７によって駆動される回転アンテナ３８によって攪拌されながら加熱庫１３内の上方に向かって放射されて被加熱物２７を加熱する。この場合、被加熱物２７は、トレイ３０や網４０を使わずに加熱庫１３内の下側または底面近傍に配置される。なお、マグネトロン８０は加熱部の一例である。
【００３４】
また、上記ケーシング１内の下側には、冷却ファン部(図示せず)や、電装品部１７も配置されている。この電装品部１７は、加熱調理器の各部を駆動する駆動回路やこの駆動回路を制御する制御回路等を有している。
【００３５】
図３は、図１に示す操作パネル５を拡大した概略図である。
【００３６】
上記ボタン群７は、複数の物理キーの集まりである。より詳しくは、ボタン群７は、「戻る」キー７１、「とりけし」キー７２、「手動加熱」キー７３および「あたためスタート」キー７４で構成されている。「戻る」キー７１は、カラー液晶パネル６１の画面表示を直前の画面表示に戻すときに押す。また、「とりけし」キー７２は、途中で加熱を止めるときや、操作を取り消すときに押す。そして、「手動加熱」キー７３は、高周波出力および加熱出力を手動で設定するときに押す。また、「あたためスタート」キー７４は、加熱を開始するときに押す。
【００３７】
図４は、図３のＦ４−Ｆ４線から見た模式断面図である。
【００３８】
上記カラー液晶表示部６は、カラー液晶パネル６１上に、タッチパネル６２を重ねて構成されている。このタッチパネル６２は、ユーザーにより操作されて操作信号を制御装置２００(図５に示す)に出力する。なお、本発明の表示部は、液晶パネルに限らず、有機ＥＬなどの他の表示デバイスを用いてもよく、カラー表示に限らず、白黒表示でもよい。
【００３９】
また、上記カラー液晶パネル６１は、文字、数字、写真等をカラー表示できるものであり、加熱の種類、メニュー名、加熱時間、温度、料理の写真等を表示する。また、タッチパネル６２は、静電容量方式のタッチパネルであり、ユーザーの例えば指のタッチで表面電荷が変化する透明素材からなっている。これにより、ユーザーがタッチパネル６２をタッチすることで、カラー液晶パネル６１に表示される画像を選択できるようになっている。また、上記選択可能な画像が選択されると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００４０】
図５は上記加熱調理器の制御ブロック図である。
【００４１】
上記加熱調理器は、マイクロコンピュータと入出力回路などからなる制御装置２００を電装品部１７(図２に示す)内に備えている。この制御装置２００には、過熱水蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,飽和水蒸気発生装置１２,マグネトロン８０,スピーカ９０などが接続されている。制御装置２００は、操作パネル５からの信号および庫内温度センサ２９,解凍センサ５０からの検出信号に基づいて、過熱水蒸気生成ヒータ２０,循環ファン用モータ１９,冷却ファン用モータ１６,給気ダンパ用モータ４４,排気ダンパ用モータ６０,操作パネル５,給水ポンプ７０,飽和水蒸気発生装置１２,マグネトロン８０,スピーカ９０などを制御する。このスピーカ９０は、音声、報知音、メロディ音、キータッチ音などを出力する。なお、スピーカ９０は報知部の一例である。
【００４２】
また、上記制御装置２００は、メニューに関する複数の料理支援情報を記憶する記憶部２００ａを有している。この記憶部２００ａでは、カラー液晶パネル６１に表示される複数のメニューのそれぞれに対して、複数の料理支援情報が関連付けされている。
【００４３】
また、上記制御装置２００は、ユーザーの指などがタッチパネル６２において画像Ｇ９(図７に示す)に重なる部分に接触したとき、スピーカ９０が上記料理支援情報を出力するように、スピーカ９０を制御するスピーカ制御部２００ｂを有する。このスピーカ制御部２００ｂはソフトウェアで構成されている。なお、画像Ｇ９はキーの一例である。また、スピーカ制御部２００ｂは報知制御手段の一例である。
【００４４】
上記構成の加熱調理器において、過熱水蒸気を使用して加熱調理を行う場合には、図２に示す過熱水蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱水蒸気生成装置２１内に吹き出される。そして、過熱水蒸気生成装置２１の過熱水蒸気生成ヒータ２０によって加熱されて過熱水蒸気となる。この過熱水蒸気の一部は、下側の加熱庫１３の天面に設けられた複数の第１蒸気吹出口２４から、加熱庫１３内に下方に向かって吹き出す。また、過熱水蒸気の他の一部は、蒸気ダクト１００を介して加熱庫１３の第２蒸気吹出口２５から加熱庫１３内に吹き出す。
【００４５】
そして、上記加熱庫１３内に供給された過熱水蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００４６】
これに対して、飽和水蒸気を使用して被加熱物２７を加熱調理する場合には、過熱水蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、水蒸気圧によって自然に加熱庫１３内に流れ込む飽和水蒸気により、被加熱物２７が、蒸されたり、暖められたりする。
【００４７】
ここで、上記加熱庫１３内の左壁面および右壁面には、図２に示すように、トレイ３０の両端部を係止する係止部３９ａ,３９ｂ,３９ｃが上下方向に３段に設けられている。そして、蒸気供給管３４は、上段の係止部３９ａよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００４８】
また、上記スピーカ制御部２００ｂは、ユーザーが画像Ｇ９を選択したとき、スピーカ９０が料理支援情報を出力するように、スピーカ９０を制御する。これにより、ユーザーは、カラー液晶表示部６が小さくても、メニューに関する料理支援情報を認識できるので、ユーザーの満足度を高めることができる。
【００４９】
次に、上記料理支援情報をスピーカ９０に出力させる方法について説明する。
【００５０】
図６は、上記カラー液晶パネル６１に表示される一画面の拡大図である。なお、上記画面は、ユーザーが、複数の自動メニューから、目的の自動メニューを見付けるための画面である。
【００５１】
上記カラー液晶パネル６１には画像Ｇ１〜Ｇ８が表示される。ユーザーが画像Ｇ１〜Ｇ７を選択することにより、予め設定されたカテゴリー内の複数の自動メニューをカラー液晶パネル６１に表示させることができるようになっている。このカテゴリーの名称は画像Ｇ１〜Ｇ７内の文字と一致する。また、画像Ｇ８は、予め設定されたメニュー番号で自動メニューを検索したいときに選択すべき画像である。
【００５２】
ユーザーが、例えば画像Ｇ１に重なるタッチパネル６２の一部にタッチして、画像Ｇ１を選択すると、図７に示すように、カラー液晶パネル６１が、焼き物・フライのカテゴリーに含まれる自動メニューの１つを表示する。
【００５３】
図７の画面には、「鶏の照り焼き」の写真画像が表示されている。また、図７の画面には、「鶏の照り焼き」に予め設定されたメニュー番号を示す「１７」、「鶏の照り焼き」のカロリーを示す「約２５０ｋｃａｌ」なども表示されている。このような図７の画面は、ソフトキーである画像Ｇ９〜Ｇ１２を含んでいる。この画像Ｇ９は、「鶏の照り焼き」の食べ方、メニューのアレンジ、メニューの付け合わせなどの料理支援情報を聞くための画像である。具体的には、ユーザーが画像Ｇ９を選択すると、スピーカ９０が例えば「マヨネーズや七味をかけてどうぞ」という音声を出力する。
【００５４】
ユーザーが画像Ｇ９を選択してから、予め設定された時間(例えば６０秒)が経過する前までに、画像Ｇ９をタッチで再選択すると、スピーカ９０が前回と同じ内容の料理支援情報を出力する。具体的には、前回、スピーカ９０が「マヨネーズや七味をかけてどうぞ」という音声を出力していた場合、スピーカ９０が「マヨネーズや七味をかけてどうぞ」という音声を再び出力する。
【００５５】
一方、ユーザーが画像Ｇ９を選択してから、予め設定された時間(例えば６０秒)が経過した後に、画像Ｇ９をタッチで再選択すると、スピーカ９０が前回とは異なる内容の料理支援情報を出力する。具体的には、前回、スピーカ９０が「マヨネーズや七味をかけてどうぞ」という音声を出力していた場合、スピーカ９０が例えば「一口大の大きさの野菜を横に置くと一緒に焼けますよ」という音声を出力する。
【００５６】
また、ユーザーが画像Ｇ１０，Ｇ１１を選択すると、図示しないが、カラー液晶パネル６１は、焼き物・フライのカテゴリーに含まれる他の自動メニューを表示する。
【００５７】
また、ユーザーが画像Ｇ１２を選択すると、カラー液晶パネル６１は、「鶏の照り焼き」の加熱調理がスタートする直前の画面を表示する。すなわち、カラー液晶パネル６１が図８の画面を表示する。
【００５８】
図８の画面は、ソフトキーである画像Ｇ１３，Ｇ１４を含んでいる。この画像Ｇ１３，Ｇ１４は、カラー液晶パネル６１が直前に表示していた自動メニューの分量を選択するための画像である。画像Ｇ１３，Ｇ１４のうち、選択されている方の色は橙色となる一方、選択されていない方の色は灰色となる。このような状態で、ユーザーが「あたためスタート」キー７４を押すと、加熱調理がスタートする。また、上記加熱調理のスタートに伴い、カラー液晶パネル６１が、予め設定された時間(例えば３０秒間)、図９の画面を表示する。
【００５９】
図９の画面において、ユーザーがソフトキーの画像Ｇ１５〜Ｇ１７を選択することにより、「鶏の照り焼き」の焼き上がりの程度を調整できるようになっている。また、ユーザーが画像Ｇ１８を選択することにより、庫内灯(図示せず)が点灯したり、消灯したりするようになっている。カラー液晶パネル６１が図９の画面を表示してから、予め設定された時間が経過すると、加熱調理の残り時間が表示される。具体的には、カラー液晶パネル６１は、図１０〜図１２に示すような画面を表示する。
【００６０】
図１０〜図１２の各画面は、ソフトウェアである画像Ｇ１８，Ｇ１９を含んでいる。この画像Ｇ１８は、図９の画像Ｇ１８と同じ役割を果たす画像である。一方、画像Ｇ１９は、加熱庫１３内の温度を変更するための画像である。すなわち、ユーザーが画像Ｇ１９を選択することにより、加熱調理中に庫内温度を変更することができるようになっている。
【００６１】
また、上記加熱調理が終了すると、カラー液晶パネル６１は、図１３に示すように、「加熱終了」、「高温注意」および「０秒」の文字を表示する。このとき、スピーカ９０は加熱調理の終了のメロディ音を出力する。図１３の画面は、加熱調理を延長するためのソフトキーである画像Ｇ２０を含んでいる。これにより、ユーザーは、画像Ｇ２０を選択して、被加熱物２７をさらに加熱できるようになっている。
【００６２】
図１４は、上記スピーカ制御部２００ｂの制御を説明するためのフローチャートである。この制御は、カラー液晶パネル６１が画像を表示すると、スタートする。
【００６３】
上記制御がスタートすると、まず、ステップＳ１０１で、画像Ｇ９が選択されたか否かを判定する。このステップＳ１０１で、画像Ｇ９が選択されていないと判定されると、再び、ステップＳ１０１を行う。一方、ステップＳ１０１で、画像Ｇ９が選択されたと判定されると、次のステップＳ１０２に進む。
【００６４】
次に、ステップＳ１０２で、スピーカ９０に料理支援情報を出力させる。この料理支援情報は、画像Ｇ９と共に表示されている写真画像のメニューに関連付けされている複数の料理支援情報の中から、スピーカ制御部２００ｂが無作為に選ぶ。
【００６５】
次に、ステップＳ１０３で、画像Ｇ９が選択されたか否かを判定する。このステップＳ１０３で、画像Ｇ９が選択されていないと判定されると、再び、ステップＳ１０３を行う。一方、ステップＳ１０３で、画像Ｇ９が選択されたと判定されると、次のステップＳ１０４に進む。
【００６６】
次に、ステップＳ１０４で、ステップＳ１０１の画像Ｇ９の選択後、予め設定された時間(例えば６０秒)が経過したか否かを判定する。このステップＳ１０４で、ステップＳ１０１の画像Ｇ９の選択後、上記予め設定された時間が経過していないと判定されると、ステップＳ１１１で、前回の料理支援情報と同じ料理支援情報をスピーカ９０に出力させて、ステップＳ１０３に戻る。一方、ステップＳ１０４で、ステップＳ１０１の画像Ｇ９の選択後、上記予め設定された時間が経過したと判定されると、次のステップＳ１０５に進む。
【００６７】
次に、ステップＳ１０５で、ステップＳ１０２の料理支援情報とは異なる料理支援情報をスピーカ９０に出力させて、ステップＳ１０３に戻る。
【００６８】
このように、上記スピーカ制御部２００ｂは、画像Ｇ９の選択後、上記予め設定された時間が経過していないときに、画像Ｇ９が再び選択されると、スピーカ９０が前回と同じ内容の料理支援情報を音声で出力するように、スピーカ９０を制御する。これにより、ユーザーは、料理支援情報を聞き逃したとき、料理支援情報を聞き直すことができる。
【００６９】
また、上記画像Ｇ９の選択後、予め設定された時間が経過していなければ、画像Ｇ９が再び選択されると、スピーカ９０が前回と同じ内容の料理支援情報を出力するので、料理支援情報を聞き直すための画像を画像Ｇ９とは別に設けずに済む。したがって、上記料理支援情報を聞き直すための操作が煩雑にならないようにすることができる。
【００７０】
また、上記スピーカ制御部２００ｂは、画像Ｇ９の選択後、予め設定された時間が経過したときに、画像Ｇ９が再び選択されると、スピーカ９０が前回とは異なる内容の料理支援情報を出力するように、スピーカ９０を制御する。これにより、上記料理支援情報を出力する機能が単調になるのを防ぐことができる。
【００７１】
また、上記画像Ｇ９の選択後、予め設定された時間が経過していれば、画像Ｇ９の再選択で、スピーカ９０が前回とは異なる内容の料理支援情報を出力するので、ユーザーは料理支援情報を聞くのが楽しみになる。
【００７２】
上記第１実施形態では、カラー液晶パネル６１が、予め設定されたメニューの写真画像と共に、画像Ｇ９を表示していたが、画像Ｇ９を表示しないようにしてもよい。このようにする場合、スピーカ９０に料理支援情報を出力させるための物理キーを操作パネル５に設けてもよい。そして、カラー液晶パネル６１が、予め設定されたメニューの写真画像を表示するとき、上記物理キーが点灯するようにしてもよい。
【００７３】
上記第１実施形態では、画像Ｇ９の選択は、ユーザーのタッチで行えるようにしていたが、押ボタン、ロータリースイッチなどで行えるようにしてもよい。
【００７４】
上記第１実施形態では、スピーカ制御部２００ｂは、ソフトウェアで構成したが、スイッチ、タイマ、比較器、増幅器などのハードウェアで構成してもよい。
【００７５】
また、本発明の加熱調理器としては、例えば、過熱水蒸気を使用するオーブンレンジのみならず、過熱水蒸気を使用するオーブンまたはレンジ、過熱水蒸気を使用しないオーブンレンジ、過熱水蒸気を使用しないオーブンまたはレンジなどがある。
【００７６】
本発明の加熱調理器の例えばオーブンレンジなどにおいては、過熱水蒸気または飽和水蒸気を用いることによって、ヘルシーな調理を行うことができる。より詳しくは、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば０.５〜３％)である状態を指す。
【００７７】
〔第２実施形態〕
図１５は本発明の第２実施形態の加熱調理器の制御ブロック図である。なお、図１５において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【００７８】
上記加熱調理器は、上記第１実施形態の加熱調理器と比べ、制御装置２２００を備えている点だけが異なっている。この制御装置２２００は、制御装置２００とは一部が異なるが、制御装置２００と同様に、マイクロコンピュータと入出力回路などからなる。
【００７９】
また、上記制御装置２２００は、記憶部２００ａおよびスピーカ制御部２２００ｂを有している。このスピーカ制御部２２００ｂは、ユーザーが画像Ｇ９を選択したとき、スピーカ９０が料理支援情報を出力するように、スピーカ９０を制御する。このスピーカ制御部２２００ｂも、スピーカ制御部２００ｂと同様に、ソフトウェアで構成されている。なお、スピーカ制御部２２００ｂは報知制御手段の一例である。
【００８０】
本第２実施形態の加熱調理器は、上記第１実施形態の加熱調理器と同様に、被加熱物２７を加熱することができる。
【００８１】
また、上記スピーカ制御部２２００ｂは、ユーザーが画像Ｇ９を選択したとき、スピーカ９０が料理支援情報を出力するように、スピーカ９０を制御する。これにより、ユーザーは、カラー液晶表示部６が小さくても、メニューに関する料理支援情報を認識できるので、ユーザーの満足度を高めることができる。
【００８２】
また、ユーザーが画像Ｇ９を選択してから、カラー液晶パネル６１の画面が切り替わる前までに、画像Ｇ９をタッチで再選択すると、スピーカ９０が前回と同じ内容の料理支援情報を出力する。具体的には、前回、スピーカ９０が「マヨネーズや七味をかけてどうぞ」という音声を出力していた場合、スピーカ９０が「マヨネーズや七味をかけてどうぞ」という音声を再び出力する。
【００８３】
一方、ユーザーが画像Ｇ９を選択してから、カラー液晶パネル６１の画面が切り替わった後に、画像Ｇ９をタッチで再選択すると、スピーカ９０が前回とは異なる内容の料理支援情報を出力する。具体的には、前回、スピーカ９０が「マヨネーズや七味をかけてどうぞ」という音声を出力していた場合、スピーカ９０が例えば「一口大の大きさの野菜を横に置くと一緒に焼けますよ」という音声を出力する。
【００８４】
図１６は、上記スピーカ制御部２２００ｂの制御を説明するためのフローチャートである。この制御は、カラー液晶パネル６１が画像を表示すると、スタートする。
【００８５】
上記制御がスタートすると、まず、ステップＳ２０１で、画像Ｇ９が選択されたか否かを判定する。このステップＳ２０１で、画像Ｇ９が選択されていないと判定されると、再び、ステップＳ２０１を行う。一方、ステップＳ２０１で、画像Ｇ９が選択されたと判定されると、次のステップＳ２０２に進む。
【００８６】
次に、ステップＳ２０２で、スピーカ９０に料理支援情報を出力させる。この料理支援情報は、画像Ｇ９と共に表示されている写真画像のメニューに関連付けされている複数の料理支援情報の中から、スピーカ制御部２２００ｂが無作為に選ぶ。
【００８７】
次に、ステップＳ２０３で、画像Ｇ９が選択されたか否かを判定する。このステップＳ２０３で、画像Ｇ９が選択されていないと判定されると、再び、ステップＳ２０３を行う。一方、ステップＳ２０３で、画像Ｇ９が選択されたと判定されると、次のステップＳ２０４に進む。
【００８８】
次に、ステップＳ２０４で、ステップＳ２０１の画像Ｇ９の選択後、カラー液晶表示部６の表示が切り替わったか否かを判定する。すなわち、ステップＳ２０４で、ステップＳ２０１の画像Ｇ９の選択後、カラー液晶パネル６１の画面が切り替わったか否かを判定する。このステップＳ２０４で、ステップＳ２０１の画像Ｇ９の選択後、カラー液晶パネル６１の画面が切り替わっていないと判定されると、ステップＳ２１１で、前回の料理支援情報と同じ料理支援情報をスピーカ９０に出力させて、ステップＳ２０３に戻る。一方、ステップＳ２０４で、ステップＳ２０１の画像Ｇ９の選択後、カラー液晶パネル６１の画面が切り替わっていると判定されると、次のステップＳ２０５に進む。
【００８９】
次に、ステップＳ２０５で、ステップＳ２０２の料理支援情報とは異なる料理支援情報をスピーカ９０に出力させて、ステップＳ２０３に戻る。
【００９０】
このように、上記スピーカ制御部２２００ｂは、画像Ｇ９の選択後、カラー液晶パネル６１の画面が切り替わる前に、画像Ｇ９が再び選択されたとき、スピーカ９０が前回と同じ内容の料理支援情報を報知するように、スピーカ９０を制御する。これにより、ユーザーは、料理支援情報を聞き逃したとき、料理支援情報を聞き直すことができる。
【００９１】
また、上記画像Ｇ９の選択後、カラー液晶パネル６１の画面が切り替わる前であれば、画像Ｇ９の再選択で、スピーカ９０が前回と同じ内容の料理支援情報を報知するので、料理支援情報を聞き直すための画像を画像Ｇ９とは別に設けずに済む。したがって、上記料理支援情報を聞き直すための操作が煩雑にならないようにすることができる。
【００９２】
また、上記スピーカ制御部２２００ｂは、画像Ｇ９の選択後、カラー液晶パネル６１の画面が切り替わった後に、画像Ｇ９が再び選択されたとき、スピーカ９０が前回とは異なる内容の料理支援情報を報知するように、スピーカ９０を制御する。これにより、上記料理支援情報を出力する機能が単調になるのを防ぐことができる。
【００９３】
また、上記画像Ｇ９の選択後、カラー液晶パネル６１の画面が切り替わった後であれば、画像Ｇ９の再選択で、スピーカ９０が前回とは異なる内容の料理支援情報を報知するので、ユーザーは料理支援情報を聞くのが楽しみになる。
【００９４】
上記第２実施形態では、カラー液晶パネル６１が、予め設定されたメニューの写真画像と共に、画像Ｇ９を表示していたが、画像Ｇ９を表示しないようにしてもよい。このようにする場合、スピーカ９０に料理支援情報を出力させるための物理キーを操作パネル５に設けてもよい。そして、カラー液晶パネル６１が、予め設定されたメニューの写真画像を表示するとき、上記物理キーが点灯するようにしてもよい。
【００９５】
上記第２実施形態では、画像Ｇ９の選択は、ユーザーのタッチで行えるようにしていたが、押ボタン、ロータリースイッチなどで行えるようにしてもよい。
【００９６】
上記第２実施形態では、スピーカ制御部２２００ｂは、ソフトウェアで構成したが、スイッチ、タイマ、比較器、増幅器などのハードウェアで構成してもよい。
【００９７】
〔第３実施形態〕
図１７は本発明の第３実施形態の加熱調理器の制御ブロック図である。なお、図１７において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【００９８】
上記加熱調理器は、上記第１実施形態の加熱調理器と比べ、制御装置３２００を備えている点だけが異なっている。この制御装置３２００は、制御装置２００とは一部が異なるが、制御装置２００と同様に、マイクロコンピュータと入出力回路などからなる。
【００９９】
また、上記制御装置３２００は、記憶部２００ａおよびスピーカ制御部３２００ｂを有している。このスピーカ制御部３２００ｂはソフトウェアで構成されている。また、スピーカ制御部３２００ｂは、スピーカ制御部２００ｂと同様の制御をスピーカ９０に行うと共に、カラー液晶パネル６１が表示する画面に基づいて、スピーカ９０の音量を調整する。なお、スピーカ制御部３２００ｂは報知制御手段の一例である。
【０１００】
より詳しくは、上記スピーカ制御部３２００ｂは、カラー液晶パネル６１が図１３の画面を表示するとき、ユーザーが設定した音量よりも大きくなるように、スピーカ９０の音量を調節する。このとき、スピーカ９０の音量は、ユーザーが設定した音量の例えば１．２倍の音量に調整される。また、カラー液晶パネル６１が図１３の画面を表示するとき、ユーザーはスピーカ９０から遠く離れた場所にいる可能性が高い。
【０１０１】
また、上記スピーカ制御部３２００ｂは、カラー液晶パネル６１が図６〜図９の画面を表示するとき、ユーザーが設定した音量よりも小さくなるように、スピーカ９０の音量を調節する。このとき、スピーカ９０の音量は、ユーザーが設定した音量の例えば０．８倍の音量に調整される。また、カラー液晶パネル６１が図６〜図９の画面を表示するとき、ユーザーはスピーカ９０の近くにいる可能性が高い。
【０１０２】
また、上記カラー液晶パネル６１は、ユーザーの場所を推測するのが困難な画面も表示する。このとき、スピーカ制御部３２００ｂは、ユーザーが設定した音量と同じになるように、スピーカ９０の音量を調整する。
【０１０３】
図１８は、上記スピーカ制御部３２００ｂの制御を説明するためのフローチャートである。この制御は、カラー液晶パネル６１が画像を表示すると、スタートする。
【０１０４】
上記制御がスタートすると、まず、ステップＳ３０１で、カラー液晶パネル６１が図６〜図９の画面またはこれと同様の画面を表示するか否かを判定する。このステップＳ３０１で、カラー液晶パネル６１が図６〜図９の画面またはこれと同様の画面を表示すると判定されると、ステップＳ３１１で、スピーカ９０の音量を、ユーザーが設定した音量よりも小さくなるように設定して、ステップＳ３０１に戻る。一方、ステップＳ３０１で、カラー液晶パネル６１が図６〜図９の画面またはこれと同様の画面を表示しないと判定されると、次のステップＳ３０２に進む。
【０１０５】
次に、ステップＳ３０２で、カラー液晶パネル６１が図１３の画面またはこれと同様の画面を表示するか否かを判定する。このステップＳ３０２で、カラー液晶パネル６１が、図１３の画面またはこれと同様の画面を表示すると判定されると、ステップＳ３１２で、スピーカ９０の音量を、ユーザーが設定した音量よりも大きくなるように設定して、ステップＳ３０１に戻る。一方、ステップＳ３０２で、カラー液晶パネル６１が図１３の画面またはこれと同様の画面を表示しないと判定されると、次のステップＳ３０３に進む。
【０１０６】
次に、ステップＳ３０３で、スピーカ９０の音量を、ユーザーが設定した音量と同じになるように設定して、ステップＳ３０１に戻る。
【０１０７】
このように、上記カラー液晶パネル６１が図６〜図９の画面またはこれと同様の画面を表示するとき、スピーカ制御部３２００ｂが、ユーザーが設定した音量よりも小さくなるように、スピーカ９０の音量を調節する。これにより、ユーザーがスピーカ９０からの音を五月蠅いと感じる場面を確実に減らすことができる。
【０１０８】
また、上記カラー液晶パネル６１が図１３の画面またはこれと同様の画面を表示するとき、スピーカ制御部３２００ｂが、ユーザーが設定した音量よりも大きくなるように、スピーカ９０の音量を調節する。これにより、ユーザーがスピーカ９０からの音に気付かない場面を確実に減らすことができる。
【０１０９】
したがって、上記スピーカ９０の音量が不適切となる場面を減らせるので、ユーザーの満足度を高めることができる。
【０１１０】
上記第３実施形態において、スピーカ制御部３２００ｂの制御により音量が調整される音は、音声、報知音、メロディ音およびキータッチ音(操作音)のうちの少なくとも１つである。
【０１１１】
上記第３実施形態では、スピーカ制御部３２００ｂの制御が、加熱調理器で行われていたが、スピーカ制御部３２００ｂの制御と同様の制御が、例えば、洗濯機、冷蔵庫、空気清浄機などの電気機器で行われるようにしてもよい。
【０１１２】
上記第３実施形態において、制御装置３２００が、記憶部２００ａを有さないようにしてもよい。
【０１１３】
上記第３実施形態において、スピーカ制御部３２００ｂは、スピーカ制御部２００ｂと同様の制御をスピーカ９０に行わないようにしてもよい。すなわち、スピーカ制御部３２００ｂは、図１８の制御を行うだけのものにしてもよい。
【０１１４】
上記第３実施形態では、スピーカ制御部３２００ｂは、ソフトウェアで構成したが、スイッチ、タイマ、比較器、増幅器などのハードウェアで構成してもよい。
【０１１５】
〔第４実施形態〕
図１９は本発明の第４実施形態の加熱調理器の制御ブロック図である。なお、図１９において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１１６】
上記加熱調理器は、上記第１実施形態の加熱調理器と比べ、制御装置４２００を備えている点だけが異なっている。この制御装置４２００は、御装置２００とは一部が異なるが、制御装置２００と同様に、マイクロコンピュータと入出力回路などからなる。
【０１１７】
また、上記制御装置４２００は、記憶部２００ａおよびスピーカ制御部４２００ｂを有している。このスピーカ制御部４２００ｂはソフトウェアで構成されている。また、スピーカ制御部４２００ｂは、スピーカ制御部２００ｂと同様の制御をスピーカ９０に行うと共に、ユーザーの操作状況に応じて、スピーカ９０の音量を調整する。なお、スピーカ制御部４２００ｂは報知制御手段の一例である。
【０１１８】
より詳しく説明すると、スピーカ制御部４２００ｂは、加熱調理が終了すると、加熱調理の終了のメロディ音をスピーカ９０に出力させた後、例えば約１分毎に、加熱調理の終了のメロディ音をスピーカ９０に２回出力させる。この加熱調理の終了に伴うメロディ音(以下、「１回目のメロディ音」という)は、加熱調理が終了してから約１分後のメロディ音(以下、「２回目のメロディ音」という)と同じメロディかつ同じ長さである。１回目および２回目のメロディ音は、それぞれ、ユーザーが設定した音量で、スピーカ９０から出力される。また、加熱調理が終了してから約２分後のメロディ音(以下、「３回目のメロディ音」という)は、ユーザーが設定した音量よりも大きい音量で、スピーカ９０から出力される。
【０１１９】
また、上記スピーカ制御部４２００ｂは、３回目のメロディ音をスピーカ９０に出力させた直後に、ユーザーが設定した音量よりも大きい音量で、「食品を取り出して下さい」という音声をスピーカ９０に出力させる。この３回目のメロディ音は、１回目および２回目のメロディ音と音量だけが異なっている。
【０１２０】
また、上記スピーカ９０が３回目のメロディ音を出力するとき、カラー液晶パネル６１は、図２０に示すように、「加熱終了」、「高温注意」、「食品を取り出して下さい」および「０秒」の文字を表示する。
【０１２１】
図２１は、上記スピーカ制御部４２００ｂの制御を説明するためのフローチャートである。この制御は、加熱調理が終了するとスタートする。
【０１２２】
上記制御がスタートとすると、まず、ステップＳ４０１で、１回目のメロディ音をスピーカ９０に出力させる。このとき、１回目のメロディ音の音量は、ユーザーが設定した音量と同じ音量である。
【０１２３】
次に、ステップＳ４０２で、１回目のメロディ音が鳴ってから１分経過したか否かを判定する。このステップＳ４０２で、１回目のメロディ音が鳴ってから１分経過していないと判定されると、再び、ステップＳ４０２を行う。一方、ステップＳ４０２で、１回目のメロディ音が鳴ってから１分経過したと判定されると、次のステップＳ４０３に進む。
【０１２４】
次に、ステップＳ４０３で、２回目のメロディ音をスピーカ９０に出力させる。このとき、２回目のメロディ音の音量は、ユーザーが設定した音量と同じ音量である。
【０１２５】
次に、ステップＳ４０４で、１回目のメロディ音が鳴ってから２分経過したか否かを判定する。このステップＳ４０４で、１回目のメロディ音が鳴ってから２分経過していないと判定されると、再び、ステップＳ４０４を行う。一方、ステップＳ４０４で、１回目のメロディ音が鳴ってから２分経過したと判定されると、次のステップＳ４０５に進む。
【０１２６】
最後に、ステップＳ４０５で、３回目のメロディ音をスピーカ９０に出力させると共に、「食品を取り出して下さい」という音声をスピーカ９０に出力させる。このとき、３回目のメロディ音の音量は、ユーザーが設定した音量よりも大きい音量である。また、「食品を取り出して下さい」という音声の音量も、ユーザーが設定した音量よりも大きい音量である。
【０１２７】
このように、上記スピーカ９０は、ユーザーが設定した音量よりも大きい音量で、３回目のメロディ音を出力するので、ユーザーは加熱調理の終了に気付き易くなる。
【０１２８】
また、上記スピーカ９０は、ユーザーが設定した音量よりも大きい音量で、「食品を取り出して下さい」という音声も出力するので、ユーザーは加熱調理の終了により気付き易くなる。
【０１２９】
上記第４実施形態では、スピーカ制御部４２００ｂの制御が、加熱調理器で行われていたが、スピーカ制御部４２００ｂの制御と同様の制御が、例えば、洗濯機、冷蔵庫、空気清浄機などの電気機器で行われるようにしてもよい。
【０１３０】
上記第４実施形態において、制御装置４２００が、記憶部２００ａを有さないようにしてもよい。
【０１３１】
上記第４実施形態において、スピーカ制御部４２００ｂは、スピーカ制御部２００ｂと同様の制御をスピーカ９０に行わないようにしてもよい。すなわち、スピーカ制御部４２００ｂは、図２１の制御を行うだけのものにしてもよい。
【０１３２】
上記第４実施形態では、スピーカ制御部４２００ｂは、ソフトウェアで構成したが、スイッチ、タイマ、比較器、増幅器などのハードウェアで構成してもよい。
【０１３３】
上記第４実施形態では、１回目から３回目までのメロディ音は、全て同じメロディであったが、互いに異なるメロディ音にしてもよい。
【０１３４】
上記第４実施形態では、１回目から３回目までのメロディ音は、全て同じ長さであったが、互いに異なる長さにしてもよい。
【０１３５】
上記第４実施形態では、加熱調理が終了すると、メロディ音が３回鳴るようになっていたが、メロディ音が４回以上なるようにしてもよい。このようにする場合、４回目以降のメロディ音の音量は、ユーザーが設定した音量よりも大きい音量にしてもよい。また、スピーカ９０が４回目以降のメロディ音を出力するとき、「食品を取り出して下さい」という音声をスピーカ９０に出力させてもよい。このとき、上記音声の音量は、ユーザーが設定した音量よりも大きい音量にしてもよい。
【０１３６】
〔第５実施形態〕
図２２は本発明の第５実施形態の加熱調理器の制御ブロック図である。なお、図２２において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１３７】
上記加熱調理器は、上記第１実施形態の加熱調理器と比べ、制御装置５２００を備えている点だけが異なっている。この制御装置５２００は、御装置２００とは一部が異なるが、制御装置２００と同様に、マイクロコンピュータと入出力回路などからなる。
【０１３８】
また、上記制御装置５２００は、記憶部２００ａおよびスピーカ制御部５２００ｂを有している。このスピーカ制御部５２００ｂはソフトウェアで構成されている。また、スピーカ制御部５２００ｂは、スピーカ制御部２００ｂと同様の制御をスピーカ９０に行うと共に、被加熱物２７の加熱時間に基づいて、音声アナウンスをスピーカ９０に出力させるタイミングを設定する。なお、スピーカ制御部５２００ｂは報知制御手段の一例である。
【０１３９】
より詳しく説明すると、上記加熱時間が例えば１分以下である場合、スピーカ制御部５２００ｂは、加熱調理の開始時および加熱調理中に、音声アナウンスをスピーカ９０に出力させないように、かつ、加熱調理の終了時に、音声アナウンスをスピーカ９０に出力させる。ここで、加熱調理の終了時のアナウンスの一例としては、「加熱調理が終了しました」がある。
【０１４０】
また、上記加熱時間が、例えば、２分を越え、かつ、１０分以下である場合、スピーカ制御部５２００ｂは、加熱調理の開始時、加熱調理の終了１分前、および、加熱調理の終了時に、音声アナウンスをスピーカ９０に出力させる。ここで、上記加熱調理の開始時の音声アナウンスの一例としては、「加熱調理が開始しました」がある。また、上記加熱調理の終了１分前の音声アナウンスの一例としては、「加熱調理が終了する１分前になりました」がある。また、上記加熱調理の終了時の音声アナウンスの一例としては、「加熱調理が終了しました」がある。
【０１４１】
また、上記加熱時間が、例えば、１０分を越え、かつ、３０分以下である場合、スピーカ制御部５２００ｂは、加熱調理の開始時、加熱調理の終了１分前、加熱調理の終了１０分前、および、加熱調理の終了時に、音声アナウンスをスピーカ９０に出力させる。ここで、上記加熱調理の開始時の音声アナウンスの一例としては、「加熱調理が開始しました」がある。また、上記加熱調理の終了１分前の音声アナウンスの一例としては、「加熱調理が終了する１分前になりました」がある。また、上記加熱調理の終了１０分前の音声アナウンスの一例としては、「加熱調理が終了する１０分前になりました」がある。また、上記加熱調理の終了時のアナウンスの一例としては、「加熱調理が終了しました」がある。
【０１４２】
このように、上記被加熱物２７の加熱時間が比較的短いとき、音声アナウンスの回数が比較的少ないので、ユーザーが音声アナウンスを五月蠅く感じないようにすることができる。
【０１４３】
また、上記被加熱物２７の加熱時間が比較的長いとき、音声アナウンスの回数が比較的多いので、被加熱物２７の加熱調理が忘れられ難くなる。
【０１４４】
上記被加熱物２７の加熱時間は１分間〜８時間までと幅が広いため、音声アナウンスをスピーカ９０に出力させるタイミングを適切に設定することは有益である。
【０１４５】
上記第５実施形態において、制御装置５２００が、記憶部２００ａを有さないようにしてもよい。
【０１４６】
上記第５実施形態において、スピーカ制御部５２００ｂは、スピーカ制御部２００ｂと同様の制御をスピーカ９０に行わないようにしてもよい。すなわち、スピーカ制御部５２００ｂは、被加熱物２７の加熱時間に基づいて、音声アナウンスをスピーカ９０に出力させるタイミングを設定するだけのものにしてもよい。
【０１４７】
上記第５実施形態では、スピーカ制御部５２００ｂは、ソフトウェアで構成したが、スイッチ、タイマ、比較器、増幅器などのハードウェアで構成してもよい。
【０１４８】
上記第５実施形態において、被加熱物２７の加熱時間が例えば３０分を越える場合、スピーカ９０が４回以上の音声アナウンスを出力するようにしてもよい。
【０１４９】
〔第６実施形態〕
図２３は本発明の第６実施形態の加熱調理器の制御ブロック図である。なお、図２３において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１５０】
上記加熱調理器は、上記第１実施形態の加熱調理器と比べ、制御装置６２００を備えている点だけが異なっている。この制御装置６２００は、制御装置２００とは一部が異なるが、制御装置２００と同様に、マイクロコンピュータと入出力回路などからなる。
【０１５１】
また、上記制御装置６２００は、記憶部２００ａおよびスピーカ制御部６２００ｂを有している。このスピーカ制御部６２００ｂはソフトウェアで構成されている。また、スピーカ制御部６２００ｂは、スピーカ制御部２００ｂと同様の制御をスピーカ９０に行うと共に、自動メニューの実行回数に基づいて、音声アナウンスをスピーカ９０に出力させる。なお、スピーカ制御部６２００ｂは報知制御手段の一例である。
【０１５２】
より詳しく説明すると、上記自動メニューの実行回数の合計が例えば１０、５０、１００、２００、３００、…になる度に、スピーカ制御部６２００ｂは、音声アナウンスをスピーカ９０に出力させる。このとき、上記自動メニューの実行回数の合計が異なれば、音声アナウンスも異なる。例えば、自動メニューの実行回数の合計が１０になったとき、音声アナウンスは「おめでとう」に、また、自動メニューの実行回数の合計が５０になったとき、音声アナウンスは「たくさん使ってくれてありがとう」に、また、自動メニューの実行回数の合計が１００になったとき、音声アナウンスは「すごい１００回も使ったね」になる。
【０１５３】
このように、上記自動メニューの実行回数の合計が予め設定された数に達する度に、異なる音声アナウンスが流れるので、ユーザーに使用を実感させることができる。したがって、ユーザーの満足感ややる気を高めることができる。
【０１５４】
なお、図示しないが、制御装置６２００は、自動メニューの実行回数の合計を記憶する不揮発性記憶部を有している。
【０１５５】
上記第６実施形態において、制御装置６２００が、記憶部２００ａを有さないようにしてもよい。
【０１５６】
上記第６実施形態において、スピーカ制御部６２００ｂは、スピーカ制御部２００ｂと同様の制御をスピーカ９０に行わないようにしてもよい。すなわち、スピーカ制御部６２００ｂは、自動メニューの実行回数に基づいて、音声アナウンスをスピーカ９０に出力させるだけのものにしてもよい。
【０１５７】
上記第６実施形態では、スピーカ制御部６２００ｂは、ソフトウェアで構成したが、スイッチ、タイマ、比較器、増幅器などのハードウェアで構成してもよい。
【０１５８】
上記第６実施形態において、「おめでとう」などの音声アナウンスが流れるのは、自動メニューの実行回数の合計が１０、５０、１００、２００、３００、…以外のときにしてもよい。
【０１５９】
〔第７実施形態〕
図２４は本発明の第７実施形態の加熱調理器の制御ブロック図である。なお、図２４において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１６０】
上記加熱調理器は、上記第１実施形態の加熱調理器と比べ、制御装置２００とは一部が異なる制御装置７２００を備えている点だけが異なっている。この制御装置７２００は、制御装置２００と同様に、マイクロコンピュータと入出力回路などからなる。
【０１６１】
また、上記制御装置７２００は、記憶部２００ａおよびスピーカ制御部７２００ｂを有している。このスピーカ制御部７２００ｂはソフトウェアで構成されている。また、スピーカ制御部７２００ｂは、スピーカ制御部２００ｂと同様の制御をスピーカ９０に行うと共に、予熱の完了の例えば２分前に、音声またはメロディ音をスピーカ９０に出力させる。ここで、スピーカ９０が音声を出力する場合、例えば、「もうすぐ予熱が終わりますよ」、「予熱が完了する２分前ですよ」などの音声をスピーカ９０に出力させる。なお、上記予熱の完了の何分前であるかは、制御装置７２００が加熱庫１３内の温度変化に基づいて推測する。また、スピーカ制御部７２００ｂは報知制御手段の一例である。
【０１６２】
このように、上記予熱の完了の２分前に、スピーカ９０が音声またはメロディ音を出力するので、ユーザーは次に行うべき調理工程をタイミングよく準備できる。したがって、上記予熱を使う加熱調理を効率化できる。
【０１６３】
上記予熱の最高温度は２５０℃であるため、予熱が開始してから完了するまでの時間が長時間になることがある。したがって、上記予熱の完了の２分前に、スピーカ９０が音声またはメロディ音を出力することは、有益である。
【０１６４】
上記第７実施形態において、制御装置７２００が、記憶部２００ａを有さないようにしてもよい。
【０１６５】
上記第７実施形態において、スピーカ制御部７２００ｂは、スピーカ制御部２００ｂと同様の制御をスピーカ９０に行わないようにしてもよい。すなわち、スピーカ制御部７２００ｂは、予熱の完了の予告報知が行われるように、音声またはメロディ音をスピーカ９０に出力させるだけのものにしてもよい。
【０１６６】
上記第７実施形態では、スピーカ制御部７２００ｂは、ソフトウェアで構成したが、スイッチ、タイマ、比較器、増幅器などのハードウェアで構成してもよい。
【０１６７】
上記第７実施形態では、予熱の完了の２分前に、スピーカ９０が音声またはメロディ音を出力していたが、予熱の完了の２分前以外(例えば１分前または３分前)に、スピーカ９０が音声またはメロディ音を出力するようにしてもよい。
【０１６８】
上記第７実施形態では、予熱の完了が近づいていることを、１回の音声またはメロディ音でユーザーに知らしていたが、複数回の音声またはメロディ音でユーザーに知らしてもよい。
【０１６９】
〔第８実施形態〕
図２５は本発明の第８実施形態の加熱調理器の制御ブロック図である。なお、図２５において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１７０】
上記加熱調理器は、上記第１実施形態の加熱調理器と比べ、制御装置８２００を備えている点だけが異なっている。この制御装置８２００は、制御装置２００とは一部が異なるが、制御装置２００と同様に、マイクロコンピュータと入出力回路などからなる。
【０１７１】
また、上記制御装置８２００は、記憶部２００ａおよびスピーカ制御部８２００ｂを有している。このスピーカ制御部８２００ｂはソフトウェアで構成されている。また、スピーカ制御部８２００ｂは、スピーカ制御部２００ｂと同様の制御をスピーカ９０に行うと共に、ユーザーが選択したメニューに応じた音声をスピーカ９０に出力させる。なお、スピーカ制御部８２００ｂは報知制御手段の一例である。
【０１７２】
より詳しく説明すると、ユーザーが、使用頻度が１番のメニューを選択した場合、スピーカ制御部８２００ｂは、例えば「いいですね」という音声をスピーカ９０に出力させる。このとき、上記メニューの使用頻度が予め設定された頻度を越えていれば、「いいですね」という音声ではなく、ユーザーへの感謝を示す音声が流れる。
【０１７３】
また、ユーザーが、使用履歴が最も新しいメニューを選択した場合、スピーカ制御部８２００ｂは、例えば「前回選択したメニューです」という音声をスピーカ９０に出力させる。
【０１７４】
また、ユーザーが特徴的なメニューのうちの一つである健康サポートメニューを選択した場合、スピーカ制御部８２００ｂは、例えば「健康やダイエットをサポートします」という音声をスピーカ９０に出力させる。なお、他の特徴的なメニューには、美容サポートメニューなどがある。
【０１７５】
したがって、ユーザーは、スピーカ９０からの音声に基づいて、メニューを再考することができるので、使い勝手が向上する。
【０１７６】
なお、図示しないが、制御装置８２００は、メニューの使用頻度および使用履歴を記憶する不揮発性記憶部を有している。
【０１７７】
上記第８実施形態において、制御装置８２００が、記憶部２００ａを有さないようにしてもよい。
【０１７８】
上記第８実施形態において、スピーカ制御部８２００ｂは、スピーカ制御部２００ｂと同様の制御をスピーカ９０に行わないようにしてもよい。すなわち、スピーカ制御部８２００ｂは、ユーザーが選択したメニューに応じた音声をスピーカ９０に出力させるだけのものにしてもよい。
【０１７９】
上記第８実施形態では、スピーカ制御部８２００ｂは、ソフトウェアで構成したが、スイッチ、タイマ、比較器、増幅器などのハードウェアで構成してもよい。
【０１８０】
上記第８実施形態では、上記メニューの使用頻度が予め設定された頻度を越えていれば、ユーザーへの感謝を示す音声が流れるようになっていたが、ユーザーの嗜好にあった他のメニューを提案する音声が流れるようにしてもよい。
【０１８１】
〔第９実施形態〕
図２６は本発明の第９実施形態の加熱調理器の制御ブロック図である。なお、図２６において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１８２】
上記加熱調理器は、上記第１実施形態の加熱調理器と比べ、制御装置２００とは一部が異なる制御装置９２００を備えている点だけが異なっている。この制御装置９２００は、制御装置２００と同様に、マイクロコンピュータと入出力回路などからなる。
【０１８３】
また、上記制御装置９２００は、記憶部２００ａおよびスピーカ制御部９２００ｂを有している。このスピーカ制御部９２００ｂはソフトウェアで構成されている。また、スピーカ制御部９２００ｂは、スピーカ制御部２００ｂと同様の制御をスピーカ９０に行うと共に、デモモード時、スピーカ９０の音量を最大にする。なお、スピーカ制御部９２００ｂは報知制御手段の一例である。
【０１８４】
したがって、店内が、イメージソング、店内放送、他商品の動作音、来場者の話し声などで騒がしい状況であっても、デモモード時、スピーカ９０の音量が最大になるので、来場者の注意を引くことができる。
【０１８５】
また、デモモード時、スピーカ９０の音量が最大になるので、デモモード中の操作音も聞き取り易く、操作感をユーザーに正確に伝えることができる。その結果、販売員は商品説明を効果的に行うことができる。
【０１８６】
上記第９実施形態において、制御装置９２００が、記憶部２００ａを有さないようにしてもよい。
【０１８７】
上記第９実施形態において、スピーカ制御部９２００ｂは、スピーカ制御部２００ｂと同様の制御をスピーカ９０に行わないようにしてもよい。すなわち、スピーカ制御部９２００ｂは、デモモード時、スピーカ９０の音量を最大にするだけのものにしてもよい。
【０１８８】
上記第９実施形態において、スピーカ制御部９２００ｂは、デモモード時、スピーカ９０の音量を最大にすると共に、音声スピードが遅くなるように設定するようにしてもよい。上記音声スピードが遅くなれば、聞き取り難い単語がゆっくり流れるので、ユーザーはデモモードの内容を正確に理解することができる。
【０１８９】
上記第９実施形態では、スピーカ制御部９２００ｂは、ソフトウェアで構成したが、スイッチ、タイマ、比較器、増幅器などのハードウェアで構成してもよい。
【０１９０】
〔第１０実施形態〕
図２７は本発明の第１０実施形態の加熱調理器の制御ブロック図である。なお、図２７において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１９１】
上記加熱調理器は、上記第１実施形態の加熱調理器と比べ、制御装置１０２００を備えている点だけが異なっている。この制御装置１０２００は、制御装置２００とは一部が異なるが、制御装置２００と同様に、マイクロコンピュータと入出力回路などからなる。
【０１９２】
また、上記制御装置１０２００は、記憶部２００ａおよびスピーカ制御部１０２００ｂを有している。このスピーカ制御部１０２００ｂはソフトウェアで構成されている。また、スピーカ制御部１０２００ｂは、スピーカ制御部２００ｂと同様の制御をスピーカ９０に行うと共に、ユーザー独自のオリジナルメニューを登録するときに、操作を指示する音声をスピーカ９０に出力させる。なお、スピーカ制御部１０２００ｂは報知制御手段の一例である。
【０１９３】
より詳しく説明すると、カラー液晶パネル６１が、図２８に示すように、オリジナルメニューを登録するための画面を表示してから、予め設定された時間(例えば３秒〜４秒)が経過すると、スピーカ制御部１０２００ｂは、例えば「登録・変更キーを押すと項目別の画面に替わります」という音声をスピーカ９０に出力させる。なお、上記登録・変更キーはソフトキーの画像Ｇ２１を指す。
【０１９４】
このように、上記スピーカ９０が「登録・変更キーを押すと項目別の画面に替わります」という音声を出力するので、オリジナルメニューの次の登録操作に容易に進むことができる。
【０１９５】
また、図示しないが、カラー液晶パネル６１が、次の画面を表示してから、予め設定された時間(例えば３秒〜４秒)が経過すると、スピーカ制御部１０２００ｂは、上記画面において押すべきキーを指示する音声をスピーカ９０に出力させる。
【０１９６】
すなわち、上記カラー液晶パネル６１が、オリジナルメニューを登録するための画面を表示して、予め設定された時間が経過すると、スピーカ制御部１０２００ｂは、上記画面において押すべきキーを指示する音声をスピーカ９０に出力させる。
【０１９７】
したがって、ユーザーは、取扱説明書を見たりしなくても、操作が難しい画面において正確な操作を行うことができる。
【０１９８】
なお、上記カラー液晶パネル６１が、オリジナルメニューを登録するための画面を表示して、予め設定された時間が経過する前に、ユーザーの操作があった場合、上記画面において押すべきキーを指示する音声は流れない。
【０１９９】
上記第１０実施形態において、制御装置１０２００が、記憶部２００ａを有さないようにしてもよい。
【０２００】
上記第１０実施形態において、スピーカ制御部１０２００ｂは、スピーカ制御部２００ｂと同様の制御をスピーカ９０に行わないようにしてもよい。すなわち、スピーカ制御部１０２００ｂは、ユーザー独自のオリジナルメニューを登録するときに、操作を指示する音声をスピーカ９０に出力させるだけのものにしてもよい。
【０２０１】
上記第１０実施形態では、スピーカ制御部１０２００ｂは、ソフトウェアで構成したが、スイッチ、タイマ、比較器、増幅器などのハードウェアで構成してもよい。
【０２０２】
上記第１０実施形態において、画面において押すべきキーを指示する音声が流れたとき、そのキーに対応する部分の表示を点灯などで強調してもよい。
【０２０３】
上記第１０実施形態において、画面において押すべきキーを指示する音声が流れるタイミングは、いつも同じにしてもよいし、画面毎に異なるようにしてもよい。
【０２０４】
上記第１０実施形態において、オリジナルメニューの登録が完了したとき、スピーカ９０が、喜びを表す音声を出力するようにしてもよい。また、上記オリジナルメニューがマイクロ波を使うものであれば、スピーカ９０が、トレイ３０の使用の注意を促す注意の音声を出力するようにしてもよい。
【０２０５】
〔第１１実施形態〕
図２９は本発明の第１１実施形態の加熱調理器の制御ブロック図である。なお、図２９において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０２０６】
上記加熱調理器は、上記第１実施形態の加熱調理器と比べ、制御装置２００とは一部が異なる制御装置１１２００を備えている点だけが異なっている。この制御装置１１２００は、制御装置２００と同様に、マイクロコンピュータと入出力回路などからなる。
【０２０７】
また、上記制御装置１１２００は、記憶部２００ａおよびスピーカ制御部１１２００ｂを有している。このスピーカ制御部１１２００ｂはソフトウェアで構成されている。また、スピーカ制御部１１２００ｂは、スピーカ制御部２００ｂと同様の制御をスピーカ９０に行うと共に、カラー液晶パネル６１が画像Ｇ９を表示したとき、画像Ｇ９の存在をアピールするための音声をスピーカ９０に出力させる。なお、スピーカ制御部１１２００ｂは報知制御手段の一例である。
【０２０８】
より詳しく説明すると、カラー液晶パネル６１が、図７に示すように、画像Ｇ９を表示したとき、スピーカ制御部１１２００ｂは、例えば「聞いて聞いて」という音声をスピーカ９０に出力させる。
【０２０９】
したがって、上記画像Ｇ９が見落とされ難くなって、画像Ｇ９の利用率を高めることができる。
【０２１０】
また、上記カラー液晶パネル６１が画像Ｇ９を表示する度に、「聞いて聞いて」という音声が流れると、五月蠅く感じるユーザーもいるかもしれない。
【０２１１】
したがって、上記画像Ｇ９の表示回数が、予め設定された回数(例えば３の倍数)になったときだけ、「聞いて聞いて」という音声が流れるようにしてもよい。
【０２１２】
上記第１１実施形態において、制御装置１１２００が、記憶部２００ａを有さないようにしてもよい。
【０２１３】
上記第１１実施形態において、スピーカ制御部１１２００ｂは、スピーカ制御部２００ｂと同様の制御をスピーカ９０に行わないようにしてもよい。すなわち、スピーカ制御部１１２００ｂは、カラー液晶パネル６１が画像Ｇ９を表示したとき、画像Ｇ９の存在をアピールするための音声をスピーカ９０に出力させるだけのものにしてもよい。
【０２１４】
上記第１１実施形態では、スピーカ制御部１１２００ｂは、ソフトウェアで構成したが、スイッチ、タイマ、比較器、増幅器などのハードウェアで構成してもよい。
【０２１５】
本発明の具体的な実施形態について説明したが、本発明は上記実施形態に限定されるものではなく、本発明の範囲内で種々変更して実施することができる。例えば、本発明の一実施形態は、上記第１〜１１実施形態で記載した内容を適宜組み合わせたものであってもよい。
【０２１６】
すなわち、本発明および実施形態を纏めると、次のようになる。
【０２１７】
本発明の加熱調理器は、
被加熱物２７を加熱するための加熱部１２，２０，８０と、
上記被加熱物２７に係るメニューについての料理支援情報を記憶する記憶部２００ａと、
上記料理支援情報を音声で報知する報知部９０と、
上記報知部９０に上記料理支援情報を音声で報知させるためのキーＧ９と、
制御装置２００，２２００と
を備え、
上記制御装置２００，２２００は、ユーザーが上記キーＧ９を選択したとき、上記報知部９０が上記料理支援情報を音声で報知するように、上記報知部９０を制御する報知制御手段２００ｂ，２２００ｂ，３２００ｂ，４２００ｂ，５２００ｂ，６２００ｂ，７２００ｂ，８２００ｂ，９２００ｂ，１０２００ｂ，１１２００ｂを有することを特徴としている。
【０２１８】
上記構成によれば、上記報知制御手段２００ｂ，２２００ｂ，３２００ｂ，４２００ｂ，５２００ｂ，６２００ｂ，７２００ｂ，８２００ｂ，９２００ｂ，１０２００ｂ，１１２００ｂは、ユーザーがキーＧ９を選択したとき、報知部９０が料理支援情報を音声で報知するように、報知部９０を制御する。これにより、ユーザーは、表示部６が小さくても、メニューに関する料理支援情報を認識できる。その結果、上記加熱調理器は、ユーザーの満足度を高めることができる。
【０２１９】
一実施形態の加熱調理器では、
上記報知制御手段２００ｂ，３２００ｂ，４２００ｂ，５２００ｂ，６２００ｂ，７２００ｂ，８２００ｂ，９２００ｂ，１０２００ｂ，１１２００ｂは、上記キーＧ９の選択後、予め設定された時間が経過していないときに、上記キーＧ９が再び選択されると、上記報知部９０が前回と同じ内容の上記料理支援情報を報知するように、上記報知部９０を制御する。
【０２２０】
上記実施形態によれば、上記報知制御手段２００ｂ，３２００ｂ，４２００ｂ，５２００ｂ，６２００ｂ，７２００ｂ，８２００ｂ，９２００ｂ，１０２００ｂ，１１２００ｂは、キーＧ９の選択後、予め設定された時間が経過していないときに、キーＧ９が再び選択されると、報知部９０が前回と同じ内容の料理支援情報を報知するように、報知部９０を制御する。これにより、ユーザーは、料理支援情報を聞き逃したとき、料理支援情報を聞き直すことができる。
【０２２１】
また、上記キーＧ９の選択後、予め設定された時間が経過していなければ、キーＧ９が再び選択されると、報知部９０が前回と同じ内容の料理支援情報を報知するので、このキーＧ９とは別に例えばリピートキーＧ９(料理支援情報を聞き直すためのキーＧ９)を設けずに済んで、キーＧ９操作が煩雑にならないようにすることができる。
【０２２２】
一実施形態の加熱調理器では、
上記報知制御手段２００ｂ，３２００ｂ，４２００ｂ，５２００ｂ，６２００ｂ，７２００ｂ，８２００ｂ，９２００ｂ，１０２００ｂ，１１２００ｂは、上記キーＧ９の選択後、予め設定された時間が経過したときに、上記キーＧ９が再び選択されると、上記報知部９０が前回とは異なる内容の上記料理支援情報を報知するように、上記報知部９０を制御する。
【０２２３】
上記実施形態によれば、上記報知制御手段２００ｂ，３２００ｂ，４２００ｂ，５２００ｂ，６２００ｂ，７２００ｂ，８２００ｂ，９２００ｂ，１０２００ｂ，１１２００ｂは、キーＧ９の選択後、予め設定された時間が経過したときに、キーＧ９が再び選択されると、報知部９０が前回とは異なる内容の料理支援情報を報知するように、報知部９０を制御する。これにより、上記料理支援情報を報知する機能が単調になるのを防ぐことができる。
【０２２４】
また、上記キーＧ９の選択後、予め設定された時間が経過していれば、キーＧ９の再選択で、報知部９０が前回とは異なる内容の料理支援情報を報知するので、ユーザーは料理支援情報を聞くのが楽しみになる。すなわち、楽しさを演出することができる。
【０２２５】
一実施形態の加熱調理器では、
上記報知制御手段２２００ｂは、上記キーＧ９が選択されて、上記表示部６の表示が切り替わる前に、上記キーＧ９が再び選択されたとき、上記報知部９０が前回と同じ内容の上記料理支援情報を報知するように、上記報知部９０を制御する。
【０２２６】
上記実施形態によれば、上記報知制御手段２２００ｂは、キーＧ９が選択されて、表示部６の表示が切り替わる前に、キーＧ９が再び選択されたとき、報知部９０が前回と同じ内容の料理支援情報を報知するように、報知部９０を制御する。これにより、ユーザーは、料理支援情報を聞き逃したとき、料理支援情報を聞き直すことができる。
【０２２７】
また、上記キーＧ９が選択されて、表示部６の表示が切り替わる前であれば、キーＧ９の再選択で、報知部９０が前回と同じ内容の料理支援情報を報知するので、このキーＧ９とは別に例えばリピートキーＧ９(料理支援情報を聞き直すためのキー)を設けずに済んで、キーＧ９操作が煩雑にならないようにすることができる。
【０２２８】
一実施形態の加熱調理器では、
上記報知制御手段２２００ｂは、上記キーＧ９が選択されて、上記表示部６の表示が切り替わった後に、上記キーＧ９が再び選択されたとき、上記報知部９０が前回とは異なる内容の上記料理支援情報を報知するように、上記報知部９０を制御する。
【０２２９】
上記実施形態によれば、上記報知制御手段２２００ｂは、キーＧ９が選択されて、表示部６の表示が切り替わった後に、キーＧ９が再び選択されたとき、報知部９０が前回とは異なる内容の料理支援情報を報知するように、報知部９０を制御する。これにより、上記料理支援情報を報知する機能が単調になるのを防ぐことができる。
【０２３０】
また、上記キーＧ９が選択されて、予め設定された時間が経過した後であれば、キーＧ９の再選択で、報知部９０が前回とは異なる内容の料理支援情報を報知するので、ユーザーは料理支援情報を聞くのが楽しみになる。すなわち、楽しさを演出することができる。
【符号の説明】
【０２３１】
６  カラー液晶表示部
１２  飽和水蒸気発生装置
２０  過熱水蒸気生成ヒータ
８０  マグネトロン
９０  スピーカ
２００，２２００，３２００，４２００，５２００，６２００，７２００，８２００，９２００，１０２００，１１２００  制御装置
２００ａ  記憶部
２００ｂ，２２００ｂ，３２００ｂ，４２００ｂ，５２００ｂ，６２００ｂ，７２００ｂ，８２００ｂ，９２００ｂ，１０２００ｂ，１１２００ｂ  スピーカ制御部
Ｇ９  画像
【図１】
0005899337.tif 000002
【図２】
0005899337.tif 000003
【図４】
0005899337.tif 000004
【図５】
0005899337.tif 000005
【図１４】
0005899337.tif 000006
【図１５】
0005899337.tif 000007
【図１６】
0005899337.tif 000008
【図１７】
0005899337.tif 000009
【図１８】
0005899337.tif 000010
【図１９】
0005899337.tif 000011
【図２１】
0005899337.tif 000012
【図２２】
0005899337.tif 000013
【図２３】
0005899337.tif 000014
【図２４】
0005899337.tif 000015
【図２５】
0005899337.tif 000016
【図２６】
0005899337.tif 000017
【図２７】
0005899337.tif 000018
【図２９】
0005899337.tif 000019
【図３】
0005899337.tif 000020
【図６】
0005899337.tif 000021
【図７】
0005899337.tif 000022
【図８】
0005899337.tif 000023
【図９】
0005899337.tif 000024
【図１０】
0005899337.tif 000025
【図１１】
0005899337.tif 000026
【図１２】
0005899337.tif 000027
【図１３】
0005899337.tif 000028
【図２０】
0005899337.tif 000029
【図２８】
0005899337.tif 000030